(57)【要約】【課題】ユーザは資産を容易に管理することができ、かつ、サービス提供者は容易にユーザに対して広告をすることができる資産管理システムを提供することを目的とする。【解決手段】ユーザ端末１０から登録される資産情報を管理する資産管理サーバ２０は、ユーザ端末１０に広告情報を配信したいサービス提供者端末３０に、登録された資産情報に基づいて資産の状態情報を含む状態情報を提供する資産状態算出部２１３と、サービス提供者端末３０から登録される広告情報を管理する広告登録部と、ユーザ端末１０が管理サーバに接続したときに、登録された資産情報に基づいて登録された広告情報を配信する資産管理部２１２と、を有する。【選択図】図１
2009043010.tif 000002
【特許請求の範囲】
【請求項１】
クライアントからの資産情報を管理する管理サーバを有する資産管理システムであって、前記管理サーバは、
前記クライアントに広告情報を配信したい広告提供端末に、前記資産情報に基づいて資産の状態情報を含む資産状態情報を提供する資産状態提供部と、
前記広告提供端末から登録される広告情報を管理する広告管理部と、
前記クライアントが前記管理サーバに接続したときに、前記資産情報に基づいて前記広告情報を配信する資産管理部と、を有する
ことを特徴とする資産管理システム。
【請求項２】
前記資産状態情報は、前記資産を識別する識別情報、前記資産の登録数、前記資産が故障であるかの故障情報、前記資産の調整が必要であるかの調整必要情報、前記資産の調整の有効期間である有効期間情報、および前記資産の広告登録数のうち少なくともいずれかひとつを含む
ことを特徴とする請求項１に記載の資産管理システム。
【請求項３】
前記管理サーバは、前記広告情報に基づいて前記広告提供端末に課金する
ことを特徴とする請求項１に記載の資産管理システム。
【請求項４】
前記管理サーバは、前記クライアントに配信した広告情報の実績情報に基づいて前記広告提供端末に課金する
ことを特徴とする請求項１に記載の資産管理システム。
【請求項５】
前記クライアントは、資産の識別情報を書き込まれたタグを読み取るタグリーダを備え、前記管理サーバは、前記タグリーダからの識別情報に基づいて前記資産情報を管理する
ことを特徴とする請求項１に記載の資産管理システム。
【請求項６】
クライアントからの資産情報を管理する管理サーバを用いる資産管理方法であって、
前記管理サーバは、
前記クライアントに広告情報を配信したい広告提供端末に、前記資産情報に基づいて資産の状態情報を含む資産状態情報を提供し、
前記広告提供端末から登録される広告情報を管理し、
前記クライアントが前記管理サーバに接続したときに、前記資産情報に基づいて前記広告情報を配信する
ことを特徴とする資産管理方法。
【請求項７】
前記資産状態情報は、前記資産を識別する識別情報、前記資産の登録数、前記資産が故障であるかの故障情報、前記資産の調整が必要であるかの調整必要情報、前記資産の調整の有効期間である有効期間情報、および前記資産の広告登録数のうち少なくともいずれかひとつを含む
ことを特徴とする請求項６に記載の資産管理方法。
【請求項８】
前記管理サーバは、前記広告情報に基づいて前記広告提供端末に課金する
ことを特徴とする請求項６に記載の資産管理方法。
【請求項９】
前記管理サーバは、前記クライアントに配信した広告の実績情報に基づいて前記広告提供端末に課金する
ことを特徴とする請求項６に記載の資産管理方法。
【請求項１０】
請求項６から請求項９のいずれか１項に記載の資産管理方法をコンピュータに実行させることを特徴とする資産管理プログラム。
【発明の詳細な説明】
【技術分野】
【０００１】
本発明は、ユーザは資産を容易に管理することができ、かつ、サービス提供者は容易にユーザに対して広告をすることができる資産管理システム、資産管理方法、および資産管理プログラムに関する。
【背景技術】
【０００２】
多くの資産（例えば、固定資産、流動資産）を有する企業・組織などは、資産管理者が、専用の資産管理ソフトウェアなどを利用して、資産状況を管理している。また、バーコードやＲＦＩＤ(Radio Frequency Identification)などから特定できる識別コードで入力することにより資産（物品）を管理している場合もある（例えば、非特許文献１）。
【非特許文献１】“バーコードを使用した物品持出管理システム“、[online]、[平成１９年７月２５日検索]、インターネット<URL:http://www.unisonet.co.jp/soft/laboman/>
【発明の開示】
【発明が解決しようとする課題】
【０００３】
従来の専用の資産管理ソフトウェアを用いる管理においては、資産の員数管理が主に実施されている。しかしながら、例えば、資産が計測器の場合、計測器が所定の期日になると校正への手配、また、計測器が故障したとき故障への手配などが必要となる。このため、校正の手配や故障の手配などに対しても、資産管理者に告知手段などが必要であり、ソフトウェアの開発コストが必要であった。
【０００４】
一方、製造業（メーカ）や、サービス提供者は、企業などがどのような資産を有するかは、ユーザ登録などにより情報を入手しており、ユーザ登録者に対して、新製品の広告や、保守サービスの広告などはすることはできる。しかしながら、新規のユーザに対しては、多大な広告費をかけて宣伝しているのが実情である。
【０００５】
本発明は、前記の課題を解決するための発明であって、ユーザは資産を容易に管理することができ、かつ、サービス提供者は容易にユーザに対して広告をすることができる資産管理システム、資産管理方法、および資産管理プログラムを提供することを目的とする。
【課題を解決するための手段】
【０００６】
前記目的を達成するため、クライアント（例えば、ユーザ端末１０）からの資産情報を管理する管理サーバ（例えば、資産管理サーバ２０）を有する資産管理システムであって、管理サーバは、クライアントに広告情報を配信したい広告提供端末（例えば、サービス提供者端末３０）に、資産情報に基づいて資産の状態情報を含む資産状態情報を提供する資産状態提供部（例えば、資産状態算出部２１３）と、広告提供端末から登録される広告情報を管理する広告管理部（例えば、広告登録部２１４）と、クライアントが管理サーバに接続したときに、資産情報に基づいて広告情報を配信する資産管理部（例えば、資産管理部２１２）と、を有することを特徴とする。
【発明の効果】
【０００７】
本発明によれば、ユーザは資産を容易に管理することができ、かつ、サービス提供者は容易にユーザに対して広告をすることができる。
【発明を実施するための最良の形態】
【０００８】
以下、本発明の実施形態について図面を参照して説明する。
図１は、資産管理システムを示す説明図である。資産管理システムは、資産保有者（ユーザ）が使用するユーザ端末１０と、資産管理運営者が使用する資産管理サーバ２０と、サービス提供者が使用するサービス提供者端末３０とを有している。ユーザ端末１０、資産管理サーバ２０、およびサービス提供者端末３０は、インターネットなどのネットワーク４０（図２参照）を介して接続されている。
【０００９】
資産管理運営者は、資産管理サーバ２０を利用して資産管理ポータルサイトを運営している。資産管理ポータルサイトの機能の処理フローには、（１）ユーザ端末１０から資産登録を受付け（ステップＳ１）、資産情報一覧をユーザ端末１０に提供する（ステップＳ２）、（２）サービス提供者端末３０へ、サービス提供者に関連する資産状態の一覧を提供する（ステップＳ３）、（３）サービス提供者端末３０から広告登録を受付け（ステップＳ４）、該当するユーザ端末１０に対して、広告を配信する（ステップＳ５）、（４）広告配信に対して広告料を受領する（ステップＳ６）、が含まれる。
【００１０】
ユーザ端末１０は、受信した広告に対して、サービス（例えば、保守サービス、修理サービス、調整サービス）の依頼を指示されたとき、サービス提供者端末３０にサービスを依頼し、サービスを受領する（ステップＳ７）。ユーザ端末１０は、受領したサービスに対して、サービス料を支払う（ステップＳ８）。
【００１１】
さらに、具体的に、ユーザ端末１０、資産管理サーバ２０、およびサービス提供者端末３０の役割について説明する。
【００１２】
資産管理サーバ２０は、資産管理ポータルサイトを介して、ユーザ端末１０に資産管理に必要な機能を提供する。ユーザ端末１０は、最初に、ユーザ登録するとともに、バーコードリーダやＲＦＩＤリーダにより読み込まれた資産の資産識別コードを、管理するための関連情報とともに、資産管理サーバ２０に登録する。登録された資産に対して、資産管理サーバ２０は、入庫・出庫・棚卸・故障・校正などの資産管理業務に必要な管理機能を、ユーザ端末１０に提供することができる。また、資産管理サーバ２０は、登録された資産に対して、資産の一覧表示など資産管理情報の照会・分析もすることができる。
【００１３】
資産管理サーバ２０は、資産管理ポータルサイトを介して登録された資産管理情報を、サービス提供者端末３０へ提供する。このときに、ユーザ端末１０からの資産保有者の個人情報は隠蔽し、登録された資産情報を特定する資産特定情報あるいは物品特定情報と、夫々の登録数などに限定して提供する。
【００１４】
サービス提供者端末３０は、資産特定情報を受理すると、サービス提供者が広告をしたいと考える広告を、資産管理ポータルサイトを介して登録する。資産管理ポータルサイトは、ユーザ向け・サービス提供者向けに提供されるのが好ましい。
【００１５】
ユーザ端末１０は、資産管理ポータルサイトにアクセスしたとき、登録した資産情報に関連する広告を表示する。
【００１６】
資産管理サーバ２０は、ユーザ端末１０に対しての広告の所定期間の表示回数、または、ユーザ端末１０からの広告への所定期間のアクセス回数に応じて、サービス提供者端末３０に対しての課金の管理をする。
【００１７】
本実施形態においては、資産管理サーバ２０は、企業などのユーザと、サービス提供者（製造者、流通者も含む）とは別に資産管理運営者が管理している。しかしながら、資産管理サーバ２０の所有者は、固定的なものではなく、流通者・販売者などが管理してもよいし、また、製造者自身が管理してもよい。資産管理運営者が、資産管理サーバ２０を管理した場合には、製造者、流通者などは、資産管理サーバ２０を構築し運用する運用コストを低減することができる。
なお、製造者、流通者、販売者が資産管理サーバを運営する場合は、製造したもの、流通したもの、販売したもののみの管理に特化する傾向があるので、様々なルートで入手した資産群について統合管理するには、独立した資産管理運営者によって管理することが望ましい。
【００１８】
資産保有者（ユーザ）は、企業などでもよいし、個人でもよい。例えば、個人が資産（ハードウェア品、ソフトウェア品を含む。）を購入したとき、その資産毎に、ユーザ登録するためにメールあるいは葉書などで登録する必要がある。本実施形態では、資産管理ポータルサイトにアクセスして、資産を登録すると資産管理を容易にすることができる。また、ユーザ情報の登録先を１本化することで、企業・個人情報の流出を極小化できるメリットも有する。
【００１９】
サービス提供者は、製造者、保守業者、関連・類似製品業者などが該当する。製造者には、製造品をサポートする部署、リコール品を管理する部署、バージョンアップする部署、リプレースする部署がある。保守業者には、保守・修理・校正（調整）の業者がある。関連・類似製品業者には、製品用の消耗品、製品用の付加価値商品（例えば、パーソナルコンピュータの場合には、増設メモリやプリンタなど）、競合類似商品を取り扱う業者がある。
【００２０】
資産（物品）には、ハードウェア品、ソフトウェア品がある。また、ハードウェア品には、消耗品も、資産管理すべき対象となる。具体的には、パーソナルコンピュータ、家電製品、車両、オートバイ、事務用品、セキュリティソフトウェア、文書作成ソフトウェアなどがある。
【００２１】
次に、資産管理システムについて詳細に説明する。
図２は、資産管理システムの構成を示すブロック図である。ユーザ端末１０は、処理部１１、キーボード１２、表示装置１３、ＩＣタグリーダライタ１４、およびバーコードリーダ１５を有している。サービス提供者端末３０は、処理部３１、キーボード３２、表示装置３３、ＩＣタグリーダライタ３４、およびバーコードリーダ３５を有している。処理部１１，３１は、記憶部（図示せず）に格納されたプログラムを実行することで、各構成要素（例えば、ＩＣタグリーダライタ１４、バーコードリーダ１５）を統括的に制御し、様々な演算処理を行う。キーボード１２，３２は、資産管理ポータルサイトにアクセスしたときに資産情報の登録などに利用する。表示装置１３，３３は、資産管理ポータルサイトなどを表示するために用いられるものであり、ＣＲＴ（Cathode Ray Tube）や液晶ディスプレイなどで構成される。ＩＣタグリーダライタ１４，３４は、資産（物品）に添付されているＩＣタグの読込み・書込みに使用される。バーコードリーダ１５，３５は、資産（物品）に添付されているバーコードの読込みに使用される。
【００２２】
資産管理サーバ２０は、処理部２１、記憶部２２を有している。処理部２１は、記憶部２２に格納されたプログラム、データベース（ＤＢ）を利用することで、様々な演算処理を行う。記憶部２２は、プログラムやデータを永続的に記憶するために用いられるものであり、ハードディスクなどで構成される。
【００２３】
処理部２１は、資産保有者（ユーザ）の資産を登録する資産登録部２１１、登録された資産を管理する資産管理部２１２、サービス提供者へ提供する資産状態を算出する資産状態算出部２１３、サービス提供者からの広告を登録する広告登録部２１４、および広告の表示回数などの広告実績を管理する広告実績管理部２１５を有している。
【００２４】
記憶部２２は、登録されたユーザのデータベースであるユーザＤＢ２２１、各ユーザの資産情報のデータベースであるユーザ資産ＤＢ２２２、資産の識別情報のデータデータベースである資産識別情報ＤＢ２２３、登録されたサービス提供者のデータベースであるサービス提供者ＤＢ２２４、およびサービス提供者から依頼された広告のデータベースである広告ＤＢ２２５を有している。各データベースの構造は、図３〜図７にて説明する。適宜図１および図２を参照する。
【００２５】
図３は、ユーザＤＢに記憶されるユーザ情報テーブルを示す説明図である。ユーザＤＢ２２１には、ユーザ登録時の識別ＩＤであるユーザＩＤ２２１ａ、ユーザ名２２１ｂ、住所２２１ｃ、連絡者２２１ｄ、連絡先２２１ｅ、Ｅ−ｍａｉｌ２２１ｆが記憶されている。具体的には、ユーザＩＤがＵ０７０７１９０１に対応するのは、Ａ社であり、その住所は東京都○△Ｘである。ユーザＤＢ２２１は、資産登録部２１１により管理される。
【００２６】
図４は、ユーザ資産ＤＢに記憶されるユーザ資産情報テーブルを示す説明図である。ユーザ資産ＤＢ２２２には、ユーザＩＤ２２２ａ、資産識別コード２２２ｂ、ユーザ資産名称２２２ｃ、購入日時２２２ｄ、登録日時２２２ｅ、故障状態２２２ｆ、調整状態２２２ｇ、調整有効期限日時２２２ｈ、入出庫状態２２２ｉ、棚卸日時２２２ｊ、削除日時２２２ｋが記憶されている。特に、ユーザＩＤ２２２ａは、ユーザＤＢ２２１のユーザ情報テーブルとの関連付けをするために用いられる。資産識別コード２２２ｂは、ＩＣタグリーダライタ１４またはバーコードリーダ１５で読取られた資産識別コードである。ユーザ資産名称２２２ｃは、ユーザが管理しやすいように、ユーザが登録した資産名称である。故障状態２２２ｆとは、資産が正常かまたは故障かを示す情報である。調整状態２２２ｇとは、例えば、計測器の場合、校正が正常であるか否かを示す情報である。調整有効期限日時２２２ｈは、例えば、計測器の場合、校正を行いその証明書が発行されたとき、その証明書の期限日時を示す情報である。入出庫状態２２２ｉは、入出庫管理に用いる情報である。棚卸日時２２２ｊは、ユーザが棚卸管理のための管理日時に用いる情報である。削除日時２２２ｋは、ユーザが資産管理に用いる情報である。例えば、ユーザが資産滅却時などに、削除日時を入力し、削除日時が登録された資産に対しては資産状態一覧から除外することができる。また、削除日時が登録されていると、ユーザに対する資産滅却期限警告表示などの情報としても利用することができる。なお、日時には、年月日だけでなく時刻も含むことができる。
【００２７】
図５は、資産識別情報ＤＢに記憶される資産識別情報テーブルを示す説明図である。資産識別情報ＤＢ２２３には、資産識別コード２２３ａ、品名２２３ｂ、型式２２３ｃ、メーカ名２２３ｄ、製造番号２２３ｅ、製造日時２２３ｆ、リコールの有無であるリコール情報２２３ｇが記憶されている。資産識別コード２２３ａに関する具体的な情報である品名２２３ｂ、型式２２３ｃ、メーカ名２２３ｄ、製造番号２２３ｅ、製造日時２２３ｆは、資産管理サーバ２０が、予めサービス提供者の内の製造業者から商品情報として収集しておくのがよい。また、製造業者が一般向けサービスとして提供している製品情報を適時利用してもよい。さらに、製造業者のリコール情報は、製造業者の要求により登録してもよいし、資産管理サーバ２０が情報を収集して登録してもよい。
【００２８】
図６は、サービス提供者ＤＢに記憶されるサービス提供者情報テーブルを示す説明図である。サービス提供者ＤＢ２２４には、サービス提供者登録時の識別ＩＤであるサービス提供者ＩＤ２２４ａ、サービス提供者名２２４ｂ、住所２２４ｃ、連絡者２２４ｄ、連絡先２２４ｅ、Ｅ−ｍａｉｌ２２４ｆが記憶されている。具体的には、サービス提供者ＩＤがＤ０７０７０１０１に対応するのは、Ｘ社であり、その住所は大阪府○△Ｘである。サービス提供者ＤＢ２２４は、広告登録部２１４により管理される。
【００２９】
図７は、広告ＤＢに記憶される広告情報テーブルを示す説明図である。広告ＤＢ２２５には、広告を登録したサービス提供者ＩＤ２２５ａ、広告対象の資産の識別コードである資産識別コード２２５ｂ、広告登録日時２２５ｃ、配信種別２２５ｄ、広告種別２２５ｅ、有償区分２２５ｆ、広告内容２２５ｇ、広告ＩＤ２２５ｈ、広告ＩＤ詳細２２５ｉ、配信画面２２５ｊ、同種所有数２２５ｋ、故障時に配信するか否かの故障時対応２２５ｌ、調整の期限が迫っているときに調整の警告をするか否かの調整警告時対応２２５ｍ、所定の日数が経過すると広告する場合に用いられる登録経過日時２２５ｎ、広告の配信日時を指定する配信指定日時２２５ｏが記憶されている。詳細な設定方法などは、後記する広告登録変更画面（図１７参照）で説明する。
【００３０】
次に、各処理について図８および図９を用い、図１〜図７を参照して説明する。
図８は、資産情報登録から広告受取までの処理の関係を示す説明図である。図８において、ユーザが資産情報を登録し、資産情報に関連する広告を受取るまでの処理フローについて説明する。ユーザがユーザ端末１０を用い、資産管理サーバ２０の資産管理ポータルサイトにアクセスする。ユーザ端末１０は、使用者登録（ユーザ登録）を送信する（ステップＳ１０１）。すると、資産登録部２１１は、使用者登録を受付け、ユーザＤＢ２２１に登録する（ステップＳ２０１）。また、ユーザ端末１０は、ＩＣタグリーダライタ１４またはバーコードリーダ１５で読み込まれた資産識別コードを資産管理サーバ２０に送信し、資産情報の登録をする（ステップＳ１０２）。すると、資産登録部２１１は、資産情報を受付け（ステップＳ２０２）、ユーザ資産ＤＢ２２２に登録する。資産情報の登録には、図１０に示す資産情報登録画面５０が利用される。
【００３１】
図１０は、資産情報登録画面の一例を示す説明図である。ユーザは、資産内容の登録の必要が生じた際、表示装置１３（図２参照）の資産情報登録画面５０から、資産の登録を行う。資産情報登録画面５０には、入力欄としての資産識別コード５１、詳細項目５３があり、資産識別コードの読込ボタン５２および資産登録ボタン５４を有する。また、資産情報登録画面５０は、広告を表示する広告表示領域５５を有する。
【００３２】
ユーザは、資産識別コードの読込ボタン５２を押すことにより、ＩＣタグリーダライタ１４またはバーコードリーダ１５から読み込むか、あるいは、手動に入力することにより、資産識別コード５１を入力する。資産の詳細項目５３には、ユーザが任意に入力できるユーザ資産の名称であるユーザ資産名称を手動で入力することができる。購入日時は、資産登録ボタン５４を押したときに自動で入力されるか、あるいは、手動で入力することもできる。登録日時は、資産登録ボタン５４を押したときに自動で入力される。故障状態は、『正常』または『故障中』を選択することができる。調整状態は、『正常』、『未調整』、『調整中』から選択することができる。調整有効期限日時は、手動で入力する。入出庫状態は、初期登録時には、自動で入庫が入力され、あるいは、『入庫』または『出庫』を選択することもできる。棚卸日時は、所定期間が自動で入力されるか、あるいは、手動で入力することもできる。削除日時も、所定期間が自動で入力されるか、あるいは、手動で入力することもできる。なお、詳細項目５３の変更前の列の欄は、初期登録時には登録されていないので、空白で表示される。なお、ユーザが入力できない箇所は、マスク（図において、グレー色に）されており、既に登録済みの場合には、登録情報を確認することができる。
【００３３】
ユーザは、資産識別コード５１および詳細項目５３の入力後、資産登録ボタン５４を押すと、ユーザ端末１０は資産情報を資産管理サーバ２０に送信する。
【００３４】
資産管理ポータルサイトには、図１０に示した資産情報登録画面５０を含み、複数の管理画面を有する。資産情報の管理には、資産情報変更画面６０（図１１参照）、資産入出庫状態登録画面７０（図１２参照）、資産情報検索画面８０（図１３参照）、資産情報一覧表示画面９０（図１４参照）、資産情報詳細表示画面１００（図１５参照）が利用される。
【００３５】
図１１は、資産情報変更画面の一例を示す説明図である。図１０において一度登録すると、資産情報の変更は、資産情報変更画面６０から行う。資産情報変更画面６０には、入力欄としての資産識別コード６１、詳細項目６３があり、資産識別コードの読込ボタン６２および資産変更ボタン６４を有する。また、資産情報変更画面６０は、広告を表示する広告表示領域６５を有する。
【００３６】
資産識別コード６１および読込ボタン６２は、図１０における資産識別コード５１および読込ボタン５２と同じ機能である。詳細項目６３には、既に登録された資産情報を『変更前』の列および『変更後』の列にディフォルトとして登録済みの資産情報が表示される。ユーザは、『変更後』の列の変更箇所を修正し、資産変更ボタン６４を押すと、資産情報の変更ができる。
【００３７】
図１２は、資産入出庫状態登録画面の一例を示す説明図である。資産入出庫状態登録画面７０は、登録済みの資産の入庫および出庫状態を管理するための画面である。資産入出庫状態登録画面７０には、入出庫状態を選択する入出庫状態７１、資産識別コードの読込ボタン７２、登録ボタン７３、一覧表示７４、広告表示ボタン７５、広告表示領域７６を有する。
【００３８】
ユーザは、入庫するか出庫するかの入出庫状態７１を選択し、読込ボタン７２を押すと、読込んだ資産の資産情報が一覧表示７４に表示される。一覧表示７４には、ユーザ資産名称、故障状態、調整状態、調整警告、広告の有無が表示される。故障状態において、故障の場合は、赤色で該当する個所のセルが強調表示される。調整状態において、調整中の場合は、黄色で該当する個所のセルが色付け表示される。また、未調整の場合は、赤色で該当する個所のセルが強調表示される。調整警告において、「調整有効期限日時」まで３０日を超える場合は、正常と表示され、「調整有効期限日時」まで３０日以内の場合は、残り日数を表示するとともに、該当する個所のセルが黄色で色付け表示される。「調整有効期限日時」が過ぎている場合は、期限切れと表示され、赤色で該当する個所のセルが強調表示される。
【００３９】
一覧表示７４の広告有無列で『あり』のセルが選択され、広告表示ボタン７５が押されると、広告表示領域７６に広告が表示される。登録ボタン７３が押されると、処理部１１は、一覧表示７４に表示されている資産情報を資産管理サーバ２０に送信し、資産管理サーバ２０は、資産登録部２１１を介してユーザ資産ＤＢ２２２の登録情報を変更する。
【００４０】
資産入出庫状態登録には、少数の資産の状態を変更する場合に用いる後状態入力方式、多量の資産の状態を同様に変更する前状態入力方式がある。後状態入力方式の場合、資産識別コードを読み込むか、または、資産コードを入力すると、その資産の状態が自動で表示される。その後、入出庫状態７１から入庫・出庫を選択し、登録ボタン７３を押下する。前状態入力方式の場合、最初に、入出庫状態７１から入庫・出庫を選択する。その後、資産識別コードを読み込むか、または、資産コードを入力すると、その資産の状態が自動で表示され、その後、登録ボタン７３を押下する。
【００４１】
後状態入力方式および前状態入力方式は、資産登録、資産故障状態登録、資産調整状態登録、資産棚卸状態登録、資産削除登録にも適用することができる。
【００４２】
図１３は、資産情報検索画面の一例を示す説明図である。資産情報検索画面８０は、既に登録済みの資産情報を検索するための画面である。資産情報検索画面８０には、検索条件の設定一覧８１、検索ボタン８２を有する。設定一覧８１において、資産識別コードの検索条件１のセルに下限値が入力され、資産識別コードの検索条件２のセルに上限値が入力される。ユーザ資産名称の検索条件１のセルには、検索文字のキー部分を入力する。例えば、電圧計の場合には、電圧計を含む文字が検索対象となる。日時（購入日時、登録日時、調整有効期限日時、棚卸日時、および削除日時）の行の検索条件１のセルに下限値が入力され、日時項目の行の検索条件２のセルに上限値が入力される。故障状態、調整状態、および入出庫状態の行は、プルダウンメニューからひとつの状態を選択できる。
【００４３】
検索ボタン８２が押下されると、処理部１１は、入力された検索条件の全てのアンド条件を資産管理サーバ２０に送信し、資産管理サーバ２０での検索結果が、資産情報一覧表示画面９０に表示される。なお、設定一覧８１で未入力および未選択の検索条件は無視される。
【００４４】
図１４は、資産情報一覧表示画面の一例を示す説明図である。資産情報一覧表示画面
９０は、資産情報検索画面８０での検索条件の検索結果を表示するための画面である。資産情報一覧表示画面９０には、一覧表示９１、詳細表示ボタン９２、広告表示ボタン９３、広告表示領域９４を有する。一覧表示９１には、検索結果のユーザ資産名称、故障状態、調整状態、調整警告、広告の有無が含まれる。故障状態において、故障の場合は、赤色で該当する個所のセルが強調表示される。調整状態において、調整中の場合は、黄色で該当する個所のセルが色付け表示される。また、未調整の場合は、赤色で該当する個所のセルが強調表示される。調整警告において、「調整有効期限日時」まで３０日を超える場合は、正常と表示され、「調整有効期限日時」まで３０日以内の場合は、残り日数を表示するとともに、該当する個所のセルが黄色で色付け表示される。「調整有効期限日時」が過ぎている場合は、期限切れと表示され、赤色で該当する個所のセルが強調表示される。
【００４５】
一覧表示９１の広告有無列で『あり』のセルを選択され、広告表示ボタン９３が押されると、広告表示領域９４に広告が表示される。一覧表示９１のひとつの行が選択され、詳細表示ボタン９２が押されると、処理部１１は、資産情報詳細表示画面１００を表示する。
【００４６】
図１５は、資産情報詳細表示画面の一例を示す説明図である。資産情報詳細表示画面１００は、資産情報一覧表示画面９０で選択された資産情報の詳細を表示する画面である。資産情報詳細表示画面１００には、詳細項目１０１、資産変更ボタン１０２、および広告を表示する広告表示領域１０３を有する。詳細項目１０１は、詳細項目６３（図１１参照）と同様に、既に登録された資産情報を『変更前』の列および『変更後』の列にディフォルトとして登録済みの資産情報が表示される。ユーザは、『変更後』の列の変更箇所を修正し、資産変更ボタン１０２を押すと、資産情報の変更ができる。広告表示領域１０３には、資産情報に関連する広告が表示される。
【００４７】
図８に戻り、資産管理サーバ２０の資産状態算出部２１３は、資産情報を受付けると、所定期間毎に資産状態の一覧を作成し、サービス提供者端末３０に送信する（ステップＳ２０３）。サービス提供者（製造者、保守業者、および関連・類似製品業者）のサービス提供者端末３０は、資産情報一覧を受け取る（ステップＳ３０１，Ｓ３０２，Ｓ３０３）。製造者はステップＳ３０１で、保守業者はステップＳ３０２で、および関連・類似製品業者はステップＳ３０３で受け取る。サービス提供者端末３０の表示装置３３には、資産状態一覧表示画面１１０（図１６参照）が表示される。
【００４８】
資産管理サーバ２０が資産状態一覧をサービス提供者端末３０に配信するのは、所定期間毎でもよいし、サービス提供者端末３０が、資産管理ポータプルサイトにアクセスし、資産状態一覧を要求したときでもよい。
【００４９】
サービス提供者は、資産状態一覧表示画面１１０に表示された資産状態を考慮し、広告をしたい際には、サービス提供者端末３０から資産管理サーバ２０へ広告を登録し、広告登録料の支払いをする（ステップＳ３０４，Ｓ３０５，Ｓ３０６）。広告の登録・変更には、広告登録変更画面（図１７参照）が利用される。
【００５０】
図１６は、資産状態一覧画面の一例を示す説明図である。資産状態一覧表示画面１１０は、資産管理サーバ２０がサービス提供者端末３０に提示する画面である。資産状態一覧表示画面１１０には、資産状態一覧作成日時１１１、ファイル出力ボタン１１２、広告入力ボタン１１３、資産状態一覧項目１１４を有する。資産状態一覧作成日時１１１には、本画面の表示データを集計した日時を表示する。資産状態一覧項目１１４には、番号（Ｎｏ．）１１４ａ、資産識別コード１１４ｂ、登録数１１４ｃ、故障状態１１４ｄ、調整状態１１４ｅ、調整警告１１４ｆ、および広告登録数１１４ｇが表示される。例えば、番号１１４ａが１の場合、登録数として１０００あり、そのうち１００が故障していることがわかる。関連する広告登録数は３０であることがわかる。また、番号１１４ａが２の場合、登録数として２０００あり、１００が故障中であり、３００が未調整の調整状態にあることがわかる。これに関連する広告登録数は５であることがわかる。
【００５１】
製造業者は、資産状態の一覧画面を見ながら、例えば、故障中の資産に対して買い替えの広告や、新製品の広告を考えることができる。保守業者は、例えば、未調整の資産に対して、修理の広告や、年間保守契約などの広告を考えることができる。関連・類似製品業者は、例えば、故障中の資産に対して類似製品の広告を考えることができる。また、製造者、保守業者、および関連・類似製品業者は、各資産に登録されている広告数をみて、競合相手の少ない資産に対して、広告をするなど、サービス提供者の広告戦略に利用することができる。
【００５２】
ファイル出力ボタン１１２が押下されると、資産状態一覧表示画面１１０に表示中の表の内容などをファイル出力することができる。ファイル出力は、ＣＳＶ（Comma Separated Values）などで出力され、サービス提供者が独自の分析データとして利用することができる。資産状態一覧項目１１４で番号１１４ａを選択後（広告をしたい資産を選択後）、広告入力ボタン１１３が押下されると、広告登録変更画面１２０（図１７参照）が表示される。
【００５３】
図１７は、広告登録変更画面の一例を示す説明図である。広告登録変更画面１２０は、資産管理サーバ２０がサービス提供者端末３０に提供する画面である。広告登録変更画面１２０には、広告内容１２１、広告条件１２２、広告表示領域１２３、および登録変更ボタン１２４を有する。広告内容１２１には、資産識別コード、広告登録日時、配信種別、広告種別、有償区分、および広告内容を有する。
【００５４】
資産識別コードは、資産状態一覧項目１１４で選択された資産識別コードが自動入力されて表示される。変更する場合は、表示されている資産識別コードを修正するとよい。広告登録日時は、画面表示した日時が自動入力される。配信種別は、『機能画面』または『連絡先』から選択し、『機能画面』を選択した場合、広告は、資産管理ポータルサイトの画面に表示される。『連絡先』を選択した場合、広告はユーザが登録のＥ−ｍａｉｌ先にメール送信または登録の住所へ郵送される。広告種別は、製造者サポート情報提供、保守サービス、修理サービス、調整サービス、関連製品、および類似製品から選択される。
【００５５】
有償区分は、広告するサービスが有償または無償から選択される。具体的には、保守サービスにおいて、リコールのときは無償が選択される。広告内容は、様々な種類の広告に対応するため、Ｗｅｂ（ウェブ）のＵＲＬ（Uniform Resource Locator）が入力される。実際のコンテンツは、ＵＲＬ先のＷｅｂサーバに保存されている。ここで指定されたＵＲＬの内容が、広告表示領域５５，６５，７６，９４，１０３に表示される。広告表示領域１２３は、広告の具体的な例である。コンテンツは、テキスト、画像、動画、フラッシュなどを含む形式があり、サービス内容、連絡先、価格などの情報が含まれる。
【００５６】
広告条件１２２には、配信画面、同種所有数、故障時、調整警告時、登録経過日時、配信指定日時が含まれる。広告条件のいずれかを満たす際に、資産管理サーバ２０は、ユーザ端末１０に対して、広告を配信する。配信画面は、選択した画面表示のときに広告を配信する。選択画面としては、資産情報登録画面５０、資産情報変更画面６０、資産入出庫状態登録画面７０、資産情報一覧表示画面９０、資産情報詳細表示画面１００などがある。未選択のときには、広告の配信はされない。複数の画面へ広告を登録する際には、複数の画面を選択する。チェックボックスなどがあると複数の画面を選択することができる。同種所有数は、同種所有数が指定の数を超える際に広告を配信する。同種所有数を零（ゼロ）に設定すると、広告は配信されない。故障時は、『配信する』または『配信しない』から選択される。『配信する』のときは、故障状態が故障時に広告が配信され、『配信しない』のときは、故障状態に関らず、広告が配信されない。
【００５７】
調整警告時は、『３０日以内で配信する』または『配信しない』から選択される。『３０日以内で配信する』のときは、調整期限が３０日以内に遷移したときに広告が配信される。『配信しない』のときは、調整有効期限に関らず、広告が配信されない。登録経過日時は、登録日時からの経過日時が指定の日時を超えて遷移した場合に、広告が配信される。指定しない場合は、登録経過日時に関らず、広告が配信されない。配信指定日時は、配信指定日時に遷移したときに、広告が配信される。指定しないときには、登録経過日時に関らず、広告が配信されない。
【００５８】
具体的には、関連・類似製品業者、保守業者は、ユーザが資産登録のときに広告配信すると広告の効率が向上すると期待できる。広告を希望する際には、登録者が多い資産に対して、広告配信を絞り込むと、広告の効率が向上すると期待できる。修理・保守業者、製造者は、故障状態に変化したときに、広告を配信すると広告の効率が向上すると期待できる。製造者は、配信指定日時を指定して、新製品発表日時に広告を配信すると広告の効率が向上すると期待できる。
【００５９】
図８に戻り、資産管理サーバ２０の広告登録部２１４は、広告を受付けると広告ＤＢ２２５に登録し、広告登録料を受領する（ステップＳ２０４）。資産管理部２１２は、ユーザ端末１０に資産管理ポータルサイトを介して資産管理情報を提供し、また、関連する広告を提供する（ステップＳ２０５）。ユーザ端末１０は、資産管理ポータルサイトを介して資産管理情報を使用し、広告を受け取る（ステップＳ１０３）。
【００６０】
資産管理サーバ２０の広告実績管理部２１５は、サービス提供者端末３０から広告の依頼のあった広告に対する所定期間の広告配信実績情報の報告を、サービス提供者端末３０に送信する（ステップＳ２０６）。サービス提供者端末３０は、広告配信実績情報を受け取ると（ステップＳ３１１，Ｓ３１２，Ｓ３１３）、広告配信実績情報に対する広告実績料を、資産管理サーバ２０に支払う（ステップＳ３１４，Ｓ３１５，Ｓ３１６）。そして、資産管理サーバ２０の広告実績管理部２１５は、広告実績料を受領する（ステップＳ２０７）。
【００６１】
資産管理ポータルサイトの他の機能として、広告検索機能を有する。ユーザ端末１０の広告検索画面（図示しない）において、検索条件を入力すると、関連する広告の一覧が表示され、一覧表から選択することで、広告の詳細が表示される。検索条件には、登録日時、広告種別（例えば、修理サービス）、有償区分、広告内容が含まれる。広告内容の検索には、テキストのキーワード検索、ＸＭＬ（eXtensible Markup Language）コンテンツの場合のメタ情報検索などがある。
【００６２】
広告検索機能は、サービス提供者端末３０が資産管理ポータルサイトにアクセスし、既に登録した広告の検索に利用することができる機能である。他のサービス提供者端末３０の広告情報については、公開が許可されている広告について広告検索できるようにすると好ましい。
【００６３】
図９は、広告問合せからサービス料支払までの処理の関係を示す説明図である。ユーザ端末１０は、ユーザから広告に対する問合せの指示がされると、広告の問合せ情報を、該当するサービス提供者端末３０に送信する（ステップＳ１１１）。該当するサービス提供者端末３０は、広告の問合せ情報を受け取ると（ステップＳ３２１，Ｓ３２２，Ｓ３２３）、広告の問合せ情報に対する回答情報を送信する（ステップＳ３２４，Ｓ３２５，Ｓ３２６）。すると、ユーザ端末１０は、広告の問合せ情報に対する回答情報を受付けると（ステップＳ１１２）、対象となるサービスが必要か否かを判定する（ステップＳ１１３）。サービスが必要なとき（ステップＳ１１３，Ｙｅｓ）、ユーザ端末１０は、サービスの申し込み情報を送信する（ステップＳ１１４）。サービスが必要でないとき（ステップＳ１１３，Ｎｏ）、必要に応じて、資産情報の登録処理（ステップＳ１０２）に戻る。
【００６４】
サービス提供者端末３０は、サービスの申し込み情報を受付けると（ステップＳ３３１，Ｓ３３２，Ｓ３３３）、ユーザ端末１０にサービス提供情報を送信する（ステップＳ３３４，Ｓ３３５，Ｓ３３６）。サービス提供情報とは、具体的には、調整サービスの場合は、調整期間中の代替品の貸し出し手配情報、調整品の発送日などである。ユーザ端末１０は、サービス提供情報を受領する（ステップＳ１１５）。ユーザ端末１０は、サービスの提供完了指示を待ち、サービスの提供完了指示を受領すると、サービス提供者端末３０にサービス料の支払い情報を送信する（ステップＳ１１６）。サービス提供者端末３０は、ユーザ端末１０からのサービス料の支払い情報を受領する（ステップＳ３４１，Ｓ３４２，Ｓ３４３）。
【００６５】
本実施形態によれば、ユーザ端末１０からの資産情報を管理する資産管理サーバ２０は、ユーザ端末１０に広告情報を配信したいサービス提供者端末３０に、資産情報に基づいて資産の状態情報を含む資産状態情報を提供し、サービス提供者端末３０から登録される広告情報を管理し、ユーザ端末１０が資産管理サーバ２０に接続したときに、資産情報に基づいて前記広告情報を配信することができる。
【００６６】
資産状態情報は、資産を識別する識別情報、資産の登録数、資産が故障であるかの故障情報、資産の調整が必要であるかの調整必要情報、資産の調整の有効期間である有効期間情報、および該資産の広告登録数のうち少なくともいずれかひとつを含んでいる。
【００６７】
資産管理サーバ２０は、広告情報に基づいて前記広告提供端末に課金し、また、ユーザ端末１０に配信した広告の実績情報に基づいて前記広告提供端末に課金することができる。
【図面の簡単な説明】
【００６８】
【図１】資産管理システムを示す説明図である。
【図２】資産管理システムの構成を示すブロック図である。
【図３】ユーザＤＢに記憶されるユーザ情報テーブルを示す説明図である。
【図４】ユーザ資産ＤＢに記憶されるユーザ資産情報テーブルを示す説明図である。
【図５】資産識別情報ＤＢに記憶される資産識別情報テーブルを示す説明図である。
【図６】サービス提供者ＤＢに記憶されるサービス提供者情報テーブルを示す説明図である。
【図７】広告ＤＢに記憶される広告情報テーブルを示す説明図である。
【図８】資産情報登録から広告受取までの処理の関係を示す説明図である。
【図９】広告問合せからサービス料支払までの処理の関係を示す説明図である。
【図１０】資産情報登録画面の一例を示す説明図である。
【図１１】資産情報変更画面の一例を示す説明図である。
【図１２】資産入出庫状態の登録画面の一例を示す説明図である。
【図１３】資産情報検索画面の一例を示す説明図である。
【図１４】資産情報一覧表示画面の一例を示す説明図である。
【図１５】資産情報詳細表示画面の一例を示す説明図である。
【図１６】資産状態一覧画面の一例を示す説明図である。
【図１７】広告登録変更画面の一例を示す説明図である。
【符号の説明】
【００６９】
１０    ユーザ端末（クライアント）
２０    資産管理サーバ（管理サーバ）
２１    処理部
２２    記憶部
３０    サービス提供者端末（広告提供端末）
２１１    資産登録部
２１２    資産管理部
２１３    資産状態算出部
２１４    広告登録部
２１５    広告実績管理部
２２１    ユーザＤＢ
２２２    ユーザ資産ＤＢ
２２３    資産識別情報ＤＢ
２２４    サービス提供者ＤＢ
２２５    広告ＤＢ
４０  ネットワーク
【図１】
2009043010.tif 000003
【図２】
2009043010.tif 000004
【図３】
2009043010.tif 000005
【図４】
2009043010.tif 000006
【図５】
2009043010.tif 000007
【図６】
2009043010.tif 000008
【図７】
2009043010.tif 000009
【図８】
2009043010.tif 000010
【図９】
2009043010.tif 000011
【図１０】
2009043010.tif 000012
【図１１】
2009043010.tif 000013
【図１２】
2009043010.tif 000014
【図１３】
2009043010.tif 000015
【図１４】
2009043010.tif 000016
【図１５】
2009043010.tif 000017
【図１６】
2009043010.tif 000018
【図１７】
2009043010.tif 000019